(57)【要約】【課題】スクリーン装置に入ったり通り抜けたりすることが可能で、眩しくなく、かつ、安価で軽量、手軽に使用可能な画像表示システムを提供する。【解決手段】紫外線により励起する蛍光体を有し、紫外線及び可視光を透過する複数の幕１０１，１０１，・・・と、前記複数の幕１０１，１０１，・・・を所定の間隔を有して並べて吊り下げる支持装置１１０とを有するスクリーン装置１００と、前記スクリーン装置１００に互いに異なった方向から画像を投射して前記幕面１０１ａに画像を表示する複数の紫外線を射出するプロジェクターＰＪ１，ＰＪ２とを有する。【選択図】図１
2010181592.tif 000002
【特許請求の範囲】
【請求項１】
紫外線により励起する蛍光体を有し、紫外線及び可視光を透過する複数の幕と、前記複数の幕を所定の間隔を有して並べて吊り下げる支持装置とを有するスクリーン装置と、
前記スクリーン装置に互いに異なった方向から画像を投射して前記幕面に画像を表示する複数の紫外線プロジェクターと、
を有することを特徴とする画像表示システム。
【請求項２】
請求項１に記載の映像表示システムにおいて、
前記スクリーン装置内の前記幕の間に紫外線を吸収し、かつ可視光を透過する遮蔽幕を複数枚挿入するスクリーン装置と、を有すること特徴とする画像表示システム。
【請求項３】
請求項１に記載の画像表示システムにおいて、
前記幕は、紫外線透過量が蛍光体の励起により吸収される紫外線量に比べて高いことを特徴とする画像表示システム。
【請求項４】
請求項１〜３のいずれか一項に記載の画像表示システムにおいて、
前記幕と前記遮蔽幕とは、外力が加わることにより自在に揺れ動く材質であることを特徴とする画像表示システム。
【請求項５】
請求項１〜４のいずれか一項に記載の画像表示システムにおいて、
前記幕と前記遮蔽幕とは、前記幕面の上下方向に少なくとも一本のスリットを有することを特徴とする画像表示システム。
【請求項６】
請求項１〜５のいずれか一項に記載の画像表示システムにおいて、
前記幕は、前記幕面が所定の間隔を有して同心円状に配置されることを特徴とする画像表示システム。
【請求項７】
請求項１〜６のいずれか一項に記載の画像表示システムにおいて、
前記複数の紫外線プロジェクターは、前記スクリーン装置を挟んで一方の側と他方の側に設置され、前記一方の側に設置する紫外線プロジェクターはフロント投射モードによる投射を行い、前記他方の側に設置する紫外線プロジェクターはリア投射モードによる投射を行うことを特徴とする画像表示システム。
【請求項８】
紫外線により励起する蛍光体を有し、紫外線及び可視光を透過する複数の幕と、前記複数の幕を所定の間隔を有して並べて吊り下げる支持装置とを有するスクリーン装置を設置し、
前記スクリーン装置に複数の紫外線プロジェクターが互いに異なる方向から画像を投射して前記幕面に画像を表示するようにしたことを特徴とする画像表示方法。
【請求項９】
請求項８に記載の画像表示方法において、
前記スクリーン装置内の前記幕の間に紫外線吸収性と光透過性を有する遮蔽幕を複数枚挿入する投影範囲指定型スクリーン装置を設置することを特徴とする画像表示方法。
【請求項１０】
紫外線により励起する蛍光体を有し、紫外線及び可視光を透過する複数の幕と、
前記複数の幕を所定の間隔を有して並べて吊り下げる支持装置と、
を有することを特徴とするスクリーン装置。
【請求項１１】
請求項１０に記載のスクリーン装置において、
前記スクリーン装置内の前記幕の間に紫外線を吸収し、かつ可視光を透過する遮蔽幕を複数枚挿入することを特徴とするスクリーン装置。
【発明の詳細な説明】
【技術分野】
【０００１】
本発明は、紫外線プロジェクターを用いて画像を表示する画像表示システム、画像表示方法及び画像表示システムに用いるためのスクリーン装置に関する。
【背景技術】
【０００２】
投射型の画像表示装置であるプロジェクターは、投射画像を再現するためのスクリーンが不可欠である。プロジェクターの投射画像を表示するためのスクリーンの分類の仕方としては、硬質で破損しにくいハードタイプのスクリーン、収納や移動に便利なソフトタイプのスクリーンというような分類、プロジェクターの投射方向によるフロント投射型のスクリーン、リア投射型のスクリーンといった分類の仕方がある。
【０００３】
いずれのスクリーンを用いる場合であっても、スクリーンの存在によって人などの移動が阻害されたり、見る方向が限定されたりする。このため、プロジェクターとスクリーンとを組み合わせた画像表示システムは、会議室、映画館など限られた場所での使用が主となる。
これに対して、最近では、「フォグスクリーン」や「白煙スクリーン」などのスクリーンが存在する（例えば、特許文献１、特許文献２参照）。
【０００４】
特許文献１に開示された技術（第１従来技術という）は、霧を均一に平面的に発生させることによってスクリーン（フォグスクリーン）を形成し、形成されたフォグスクリーンにプロジェクターなどの画像投射装置から投射される画像を表示するものである。このようなフォグスクリーンによれば、人などの移動は阻害されず、スクリーン内に人が入り込んだり、物を置いたり、また、人がスクリーンを通り抜けることも可能である。
【０００５】
したがって、このようなフォグスクリーンを、例えば、空港、駅、病院、ショッピングモールなどの通路に形成させて、目的地までの道案内の表示や様々な情報を表示させるという使い方や、各種のイベントやショーなどでの使用も可能となり、フォグスクリーンとプロジェクターとを組み合わせた新しい画像表示システムを構築することができる。
【０００６】
また、特許文献２に開示された技術（第２従来技術という）は、白煙を発生させることによってスクリーン（白煙スクリーン）を形成し、形成された白煙スクリーンにプロジェクターなどの画像投射装置から投射される画像を表示するものである。このような白煙スクリーンもフォグスクリーンと同様、スクリーン内に人が入り込んだり、物を置いたり、また、人がスクリーンを通り抜けることも可能であるため、フォグスクリーンと同様の使い方ができる。
【０００７】
しかしながら、上記したフォグスクリーン及び白煙スクリーンは、いずれもスクリーンを通り抜ける前は、これらスクリーンに投射されている画像を見ることはできるが、人がスクリーン内に入り込んだ場合やスクリーンを通り抜けてしまうと、表示されている画像を見ることはできないという問題があり、また、プロジェクターなどの画像投射装置とスクリーンとの間に人や物が存在すると、人や物が投射光を遮ることにより、スクリーン上の画像に人や物の影ができてしまうという問題がある。
【０００８】
また、フォグスクリーンは、大量の水を消費すること、大量の水を蓄える必要があるため重量が重くなること、消費電力が極めて大きいことなどから、設置場所が限定されたり、設置のための工事が大掛かりなものとなったりするといった問題点があり、また、フォグスクリーンそのもののコストが極めて高いことなどから、手軽に使用できるものではなく、使用範囲も限られるといった問題点もある。
【０００９】
また、白煙スクリーンは、白煙を発生させるための液体窒素や水が必要であり、また、水を加熱するために消費電力の大きなヒーターが必要であるため、フォグスクリーンと同様の問題点がある。
【００１０】
したがって、上記したフォグスクリーンや白煙スクリーンとプロジェクターなどの画像投射装置とを組み合わせた画像表示システムは、これまでにはない新しい画像表示システムを構築できる可能性はあるものの、上記したような様々な問題点も多く残されている。
【００１１】
また、特許文献３では上記したフォグスクリーンや白煙スクリーンの問題を解決した、画像表示システム、画像表示方法及び画像表示システムに用いるためのスクリーン装置の技術を示している。
【先行技術文献】
【特許文献】
【００１２】
【特許文献１】特開平４−２８７０３２号公報
【特許文献２】特開平７−５６２３５号公報
【特許文献３】特開２００８−２６８８５８号公報
【発明の概要】
【発明が解決しようとする課題】
【００１３】
しかしながら、上記した画像表示方法及び画像表示システムはプロジェクターの特性上暗部で投射されることが多く、プロジェクターの設定位置を高くしても幕に投射されている画像を見ようとすると輝点に視線がいってしまい眩しく感じることがある。
【００１４】
プロジェクターの設定位置の自由度が低くなり、高い位置より投射された画像の歪みも大きくなり、画質低下の原因となる。
【００１５】
また、互いに異なった方向から画像を投射すると、１枚の前記幕に複数方向からの異なる投射距離の影響により画像が二重、三重に投射され画質低下の原因ともなる。
【００１６】
したがって、上記した画像表示システム、画像表示方法及び画像表示システムに用いるためのスクリーン装置は、これまでにはない新しい画像表示システムを構築できる可能性はあるものの、上記したような様々な問題点も多く残されている。
【課題を解決するための手段】
【００１７】
本発明は、上記課題の少なくとも一つを解決するように、以下の適用例または形態として実現され得る。
【００１８】
〔適用例１〕本適用例の画像表示システムは、紫外線により励起する蛍光体を有し、紫外線及び可視光を透過する複数の幕と、前記複数の幕を所定の間隔を有して並べて吊り下げる支持装置とを有するスクリーン装置と、前記スクリーン装置に互いに異なった方向から画像を投射して前記幕面に画像を表示する複数の紫外線プロジェクターとを有することを特徴とする。
【００１９】
紫外線プロジェクターとは、通常のプロジェクターが可視光線を射出するのに対して、紫外線を射出するプロジェクターである。
【００２０】
紫外線プロジェクターでは通常のスクリーンとは異なり、スクリーン面に紫外線により励起する蛍光体を塗布されている。
【００２１】
上記構成によれば、画像表示システムは、紫外線により励起する蛍光体を有し、紫外線及び可視光を透過する複数の幕と、前記複数の幕を所定の間隔を有して並べて吊り下げる支持装置とを有するスクリーン装置を有しているので、スクリーン装置に人などが入り込むことが可能である。また、複数の紫外線プロジェクターによって異なった方向から画像を投射するようにしているので、人などがスクリーン装置に入り込んだ場合に、ある方向からの投射画像が人の存在によって遮られたとしても、他の方向からの投射画像が表示される。これにより、人などの存在の影響を受けずに投射画像を表示することができる。
【００２２】
また、上記構成によれば、画像表示システムは、幕が複数枚存在し、各々の幕は紫外線により励起する蛍光体を有し、紫外線及び可視光を透過するので、各紫外線プロジェクターからの投射画像は、各々の幕の幕面で画像を表示させることができる。
また。本発明の画像表示システムは、霧や白煙などを発生させることによってスクリーンを形成するものではないため、設置のための大掛かりな工事が不要であり、移動も簡単であることから、手軽に使用可能な画像表示システムとすることができる。
【００２３】
［適用例２］上記画像表示システムにおいて、前記スクリーン装置内の前記幕の間に紫外線を吸収し、かつ可視光を透過する遮蔽幕を複数枚挿入するスクリーン装置と、を有することが好ましい。
【００２４】
遮蔽幕を設置することにより、次の効果を有する。
（１）互いに異なる方向から設置された紫外線プロジェクター投射すると複数の方向から１枚の幕に複数の画像が表示されることがある。複数の画像が同じ情報であっても、投射距離や倍率の違いで、二重、三重に画像が表示され視認性が低下する。複数の紫外線プロジェクターから特定の幕に特定の紫外線プロジェクターからの画像のみを投射したい場合、特定以外からの紫外線プロジェクターの光路の途中に遮蔽幕を設置することにより、二重、三重に画像が表示されることがなくなり、視認性が向上する。
（２）目の保護による安全性の向上である。紫外線プロジェクターは近紫外線を使用しているので比較的人体に影響は与えにくい。しかし、凝視したり長時間、輝点を見続けると問題となることも想定される。そこで、人の通れる場所が限定されている場合、人の通れる場所と前記幕の間に前記遮蔽幕を設置することにより、紫外線を完全に吸収でき、かつ、光透過性があるので、前記幕に投射された画像は視聴することは可能である。
【００２５】
〔適用例３〕また、上記画像表示システムにおいて、前記幕は、紫外線透過量が蛍光体の励起により吸収される紫外線量に比べて高いことが好ましい。
これにより、ある１つの紫外線プロジェクターから投射される画像を複数枚の幕に同時に表示させることができる。
【００２６】
〔適用例４〕また、上記画像表示システムにおいて、前記幕と前記遮蔽幕とは、外力が加わることにより自在に揺れ動く材質であることが好ましい。
このように、幕は布などの柔らかい素材でなるものであるため、人などが幕と幕の間に入ったり、物を幕と幕の間に置いたりすることが容易に行うことができる。
【００２７】
〔適用例５〕また、上記画像表示システムにおいて、前記幕と前記遮蔽幕とは、前記幕面の上下方向に少なくとも一本のスリットを有することが好ましい。
このように、各々の幕の幕面にスリットを設けることにより、人は紫外線プロジェクターの投射方向に沿ってスクリーン装置を通り抜けることができる。このとき紫外線プロジェクターの輝点は紫外線になるので眩しく感じることがない。これにより、本適用例の画像表示システムは、例えば、建物内の通路などに設けて、道案内の表示や様々な情報を表示させるという使い方も可能となる。
【００２８】
〔適用例６〕また、上記画像表示システムにおいて、前記幕は、前記幕面が所定の間隔を有して同心円状に配置されることも好ましい。
このように、各々の幕を同心円状に配置することにより、外観としては円筒形状のスクリーン装置を構成することができ、このような円筒形状のスクリーン装置を取り囲むように紫外線プロジェクターを設置して、各紫外線プロジェクターから画像を投射することにより、立体感のある画像を表示させることができる。
【００２９】
〔適用例７〕また、上記画像表示システムにおいて、前記複数の紫外線プロジェクターは、前記スクリーン装置を挟んで一方の側と他方の側に設置され、前記一方の側に設置する紫外線プロジェクターはフロント投射モードによる投射を行い、前記他方の側に設置する紫外線プロジェクターはリア投射モードによる投射を行うことが好ましい。
【００３０】
このように、スクリーン装置を挟んで両方の側に紫外線プロジェクターを設置し、一方の側に設置する紫外線プロジェクターはフロント投射モードによる投射を行い、他方の側に設置する紫外線プロジェクターはリア投射モードによる投射を行うことによって、例えば、フロント投射モードで投射している紫外線プロジェクターからの投射画像がスクリーン装置内に入った人の存在により遮られた状態となったとしても、他方の紫外線プロジェクターの投射画像がリア投射モードによって表示されているので、スクリーン装置に入っている人だけではなく、周囲の人もスクリーン装置に表示されている情報を読み取ることができる。
【００３１】
〔適用例８〕本適用例の画像表示方法は、紫外線により励起する蛍光体を有し、紫外線及び可視光を透過する複数の幕と、前記複数の幕を所定の間隔を有して並べて吊り下げる支持装置とを有するスクリーン装置を設置し、前記スクリーン装置に複数の紫外線プロジェクターが互いに異なる方向から画像を投射して前記幕面に画像を表示するようにしたことを特徴とする。
このような方法によって画像表示を行うことにより、上記適用例に記載の画像表示システムと同様の効果が得られる。なお、本適用例の画像表示方法においても、上記適用例と同様の特徴を有することが好ましい。
【００３２】
〔適用例９〕また、上記適用例に記載の画像表示方法は、前記スクリーン装置内の前記幕の間に紫外線吸収性と光透過性を有する遮蔽幕を複数枚挿入する投影範囲指定型スクリーン装置を設置することが好ましい。
【００３３】
〔適用例１０〕本適用例のスクリーン装置は、紫外線により励起する蛍光体を有し、紫外線及び可視光を透過する複数の幕と、前記複数の幕を所定の間隔を有して並べて吊り下げる支持装置とを有することを特徴とする。
このような構成を有するスクリーン装置を用い、当該スクリーン装置と複数の紫外線プロジェクターとを組み合わせることによって前記適用例１に記載の画像表示システムを構成することができる。なお、本適用例のスクリーン装置においても前記適用例１〜適用例７に記載の特徴を有することが好ましい。
【００３４】
〔適用例１１〕また、上記スクリーン装置において、前記スクリーン装置内の前記幕の間に紫外線を吸収し、かつ可視光を透過する遮蔽幕を複数枚挿入することが好ましい。
【図面の簡単な説明】
【００３５】
【図１】実施形態１に係る画像表示システムの構成を示す図。
【図２】実施形態１に係る画像表示システムを簡略化して示す図。
【図３】スクリーン装置に２台の紫外線プロジェクターで投射を行った状態を模式的に示す図。
【図４】実施形態２に係る画像表示システムの構成を示す図。
【図５】実施形態３に係る画像表示システムを簡略化して示す図。
【図６】実施形態４に係る画像表示システムを簡略化して示す図。
【図７】実施形態５に係る画像表示システムを簡略化して示す図。
【発明を実施するための形態】
【００３６】
以下、本発明の実施形態について説明する。
[実施形態１］
図１は実施形態１に係る画像表示システムの構成を示す図である。実施形態１に係る画像表示システムは、スクリーン装置１００と、複数（実施形態１では２台とする）の紫外線プロジェクターＰＪ１，ＰＪ２とを有している。スクリーン装置１００は、複数枚（実施形態１では５枚とする）の幕１０１，１０１，・・・と、幕１０１，１０１，・・・を図示ｘ軸方向において所定間隔を有して並べて吊り下げる支持装置１１０とを有する。紫外線プロジェクターＰＪ１，ＰＪ２は、スクリーン装置１００に互いに異なった方向から画像を投射して、幕１０１,１０１，・・・の各幕面１０１ａに画像を表示する。なお、本例では、幕１０１,１０１，・・・の表面、裏面を幕面１０１ａとしている。
【００３７】
幕１０１，１０１，・・・は、紫外線により励起する蛍光体を有し、紫外線及び可視光を透過する柔らかい薄手の布が用いられている。この蛍光体は、紫外線によって励起することで可視光を発生させる。なお、当該布の紫外線透過率は、紫外線により励起する蛍光体の紫外線吸収量に比べてより大きい。
【００３８】
支持装置１１０は、紫外線プロジェクターの投射方向に沿って設けられた２本のフレーム１１１，１１２と、これらフレーム１１１，１１２間に架け渡され、幕１０１，１０１，・・・を吊り下げる複数の吊り下げ用部材１１３，１１３，・・・とを有している。なお、支持装置１１０は、図１に示すような構成に限られるものではなく、本実施形態の画像表示システムを設置する場所などによって種々の構成のものを用いることができる。
【００３９】
また、幕１０１，１０１，・・・は、吊り下げ用部材１１３，１１３，・・・からカーテンのように吊り下げられているだけであって、少なくとも上下方向（図示ｚ軸方向）へのテンションはかけられていない。なお、幕１０１，１０１，・・・の各幕面１０１ａには横方向（図示ｙ軸方向）に大きな「しわ」などが生じないように吊り下げ用部材１１３，１１３，・・・から吊り下げられることが好ましい。
【００４０】
このように、スクリーン装置１００は、幕１０１，１０１，・・・が支持装置１１０の吊り下げ用部材１１３，１１３，・・・からカーテンのように吊り下げられているだけであり、かつ、柔らかい薄手の布製であるので、幕と幕との間に人が入り込んだり、物を置いたりすることができる。
【００４１】
紫外線プロジェクターＰＪ１，ＰＪ２は、紫外線を射出する光源、光源からの紫外線を画像信号に基づいて変調して変調光を生成する光変調素子、光変調素子で生成された変調光を投射する投射光学系などを有している。この紫外線プロジェクターＰＪ１，ＰＪ２で投射された光は、紫外線により励起する蛍光体を有する投射面へ投射することで画像を表示することができる。
また、紫外線プロジェクターＰＪ１，ＰＪ２のうちの一方の紫外線プロジェクター（紫外線プロジェクターＰＪ１とする）は、フロント投射モードでの投射を行い、他方の紫外線プロジェクター（紫外線プロジェクターＰＪ２とする）は、リア投射モードによる投射を行う設定となっているものとする。また、実施形態１に係る画像表示システムにおいては、２台の紫外線プロジェクターＰＪ１，ＰＪ２は同じ情報または画像情報を投射するものとする。
【００４２】
図２は実施形態１に係る画像表示システムを簡略化して示す図である。具体的には、図１に示すスクリーン装置１００の幕１０１，１０１，・・・と紫外線プロジェクターＰＪ１，ＰＪ２との関係を示すものであり、支持装置１１０は図示が省略されている。なお、図２（ａ）は斜視図、図２（ｂ）は上方から見た平面図である。
【００４３】
図２に示すように、実施形態１に係る画像表示システムにおいて用いられるスクリーン装置１００は、幕１０１，１０１，・・・の各幕面１０１ａを並べて、幕１０１，１０１，・・・が配置された構成となっている。また、各幕面１０１ａの間隔は、ほぼ等間隔（例えば、数十センチメートル程度の間隔）で、かつ、各幕面１０１ａはほぼ平行であるとする。
【００４４】
図３はスクリーン装置１００に２台の紫外線プロジェクターＰＪ１，ＰＪ２で投射を行った状態を模式的に示す図である。図３に示すように、紫外線プロジェクターＰＪ１はフロント投射モードによる投射を行い、紫外線プロジェクターＰＪ２はリア投射モードによる投射を行っている。図３においては、紫外線プロジェクターＰＪ１からは、例えば、「Ａ，Ｂ，Ｃ・・・」という画像がフロント投射モードにより投射されており、紫外線プロジェクターＰＪ２からは同じく「Ａ，Ｂ，Ｃ，・・・」という画像がリア投射モードにより投射されている。このため、紫外線プロジェクターＰＪ１側から見た場合、「Ａ，Ｂ，Ｃ・・・」という画像は、正しい文字の向きで表示されることとなる。
【００４５】
また、幕１０１，１０１，・・・は、紫外線により励起する蛍光体を有し、紫外線及び可視光を透過し、かつ、紫外線透過性が紫外線により励起する蛍光体の紫外線吸収量に比べて高いため、紫外線プロジェクターＰＪ１，ＰＪ２から投射された画像は、幕１０１，１０１，・・・の各幕面１０１ａを透過するとともに幕１０１，１０１，・・・の各幕面１０１ａ上で表示される。なお、紫外線プロジェクターＰＪ１から投射された画像及び紫外線プロジェクターＰＪ２から投射された画像は、各紫外線プロジェクターＰＪ１，ＰＪ２に近い位置の幕ほど明確に表示され、各紫外線プロジェクターＰＪ１，ＰＪ２から遠い位置の幕ほど表示の明確さの度合いが低くなるが、幕の数が実施形態１に係る画像表示システムのように５枚程度であれば、各紫外線プロジェクターＰＪ１，ＰＪ２からそれぞれ最も遠い位置の幕に表示される画像であっても十分に視認可能な程度の明確さを有する。
【００４６】
このようなスクリーン装置１００を用いて画像表示システムを構成することによって、紫外線プロジェクターＰＪ１，ＰＪ２でスクリーン装置１００に投射された画像は、幕１０１，１０１，・・・の各幕面１０１ａに図３に示すように表示される。したがって、図３に示すような画像表示システムにおいて、人がスクリーン装置１００内（幕と幕との間）に入ることによって、例えば、紫外線プロジェクターＰＪ１からの投射光を遮る状態となったとしても、紫外線プロジェクターＰＪ２からの投射画像がリア投射モードによって表示されている。このため、スクリーン装置１００内に入っている人はスクリーン装置１００に表示されている画像を見ることができ、また、スクリーン装置１００内に入っている人だけでなく、周囲にいる人もスクリーン装置１００に表示されている画像を見ることができる。
【００４７】
なお、本実施形態の画像表示システムにおいては、人がスクリーン装置１００内に入ることが可能であることから、通常のプロジェクターであれば輝点が人の眼に入る可能性もあるが、各紫外線プロジェクターＰＪ１，ＰＪ２であれば、輝点が紫外線であるため眩しく感じることはない。
【００４８】
実施形態１に係る画像表示システムとすることにより、スクリーン装置１００内に人が入り込んだり、物を置いたりすることができるので、例えば、各種のイベント会場やショー会場、ショールームなどで人や物と映像とを組み合わせた様々な演出を行うことができ、これまでとは異なった新しい画像表示システムを構築することができる。特に、紫外線プロジェクターからの投射画像が複数の幕に奥行きを持った状態で表示されるので、炎、水などの自然現象の動画像は、より質感の高いリアルなものとなる。また、文字情報などの表示も効果的に行うことができる。
【００４９】
また、実施形態１に係る画像表示システムは、当該画像表示システムを設置する際に、大掛かりな工事などは不要で、安価に簡単に設置することができ、移動なども容易であるので、様々な分野で手軽に使用することができる。
【００５０】
［実施形態２］
図４は実施形態２に係る画像表示システムの構成を示す図である。実施形態２に係る画像表示システムは、スクリーン装置１００と、複数（実施形態２では２台とする）の紫外線プロジェクターＰＪ１，ＰＪ２とを有している。スクリーン装置１００は、複数枚（実施形態２では４枚とする）の幕１０１，１０１，・・・と、単数もしくは複数枚（実態形態２では１枚とする）の遮蔽幕１０２と、幕１０１，１０１，・・・と遮蔽幕１０２を図示ｘ軸方向において所定間隔を有して並べて吊り下げる支持装置１１０とを有する。紫外線プロジェクターＰＪ１，ＰＪ２は、スクリーン装置１００に互いに異なった方向から画像を投射して、幕１０１,１０１，・・・の各幕面１０１ａ及び各幕面１０１ｂに画像を表示する。
【００５１】
幕１０１，１０１，・・・は、紫外線により励起する蛍光体を有し、紫外線及び可視光を透過性する柔らかい薄手の布が用いられている。なお、当該布の紫外線透過率は、紫外線により励起する蛍光体の紫外線吸収量に比べてより大きい。
【００５２】
遮蔽幕１０２は、紫外線を吸収しかつ可視光を透過する柔らかい薄手の布が用いられている。遮蔽幕１０２は、４つの幕１０１のうちいずれか２つの幕１０１の間に位置している。
【００５３】
支持装置１１０は、紫外線プロジェクターの投射方向に沿って設けられた２本のフレーム１１１，１１２と、これらフレーム１１１，１１２間に架け渡され、幕１０１，１０１，・・・および遮蔽幕１０２を吊り下げる複数の吊り下げ用部材１１３，１１３，・・・とを有している。なお、支持装置１１０は、図４に示すような構成に限られるものではなく、本発明の画像表示システムを設置する場所などによって種々の構成のものを用いることができる。
【００５４】
また、幕１０１，１０１，・・・および遮蔽幕１０２は、吊り下げ用部材１１３，１１３，・・・からカーテンのように吊り下げられているだけであって、少なくとも上下方向（図示ｚ軸方向）へのテンションはかけられていない。なお、幕１０１，１０１，・・・の各幕面１０１ａ及び１０１ｂには横方向（図示ｙ軸方向）に大きな「しわ」などが生じないように吊り下げ用部材１１３，１１３，・・・から吊り下げられることが好ましい。
【００５５】
このように、スクリーン装置１００は、幕１０１，１０１，・・・と遮蔽幕１０２が支持装置１１０の吊り下げ用部材１１３，１１３，・・・からカーテンのように吊り下げられているだけであり、かつ、柔らかい薄手の布製であるので、幕と幕との間に人が入り込んだり、物を置いたりすることができる。
【００５６】
また、紫外線プロジェクターＰＪ１から各幕面１０１ａ，１０１ａ，・・・に画像が投射されるが遮蔽幕１０２により１０１ｂには投射されない。また、紫外線プロジェクターＰＪ２から各幕面１０１ｂ，１０１ｂ，・・・に画像が投射されるが遮蔽幕１０２により１０１ａには投射されない。
【００５７】
遮蔽幕１０２を用いることにより、実施形態１の特徴を引き継ぎつつ、画像が二重に写らない構造となるため、視認性の向上を図ることができる。
【００５８】
［実施形態３］
図５は実施形態３に係る画像表示システムを簡略化して示す図である。図５は実施形態１に係る画像表示システムの説明で用いた図２に対応する図であり、支持装置１１０などを含めた全体的な構成は図１と同様に考えることができる。
【００５９】
実施形態３に係る画像表示システムは、幕１０１，１０１，・・・の各幕面１０１ａに上下方向（図示ｚ軸方向）のスリットＳを少なくとも一本設けたものである。図５に示す例においては、幕１０１，１０１，・・・の各幕面１０１ａに上下方向の２本のスリットＳが等間隔に設けられた例が示されている。なお、図５において、スリットＳは、幕１０１，１０１，・・・の下端から上端に達するまで設けられている例が示されているが、必ずしも上端に達するまで設けなくてもよい。
【００６０】
実施形態３に係る画像表示システムのスクリーン装置が図５に示すような構成を有することによって、実施形態１に係る画像表示システムと同様、人は幕と幕の間に入ることが可能であり、また、それに加えて、紫外線プロジェクターＰＪ１，ＰＪ２の投射方向（図示ｘ軸方向）に沿って移動することもできる。すなわち、人は幕１０１，１０１，・・・に設けられたスリットＳを割って入るようにして幕１０１，１０１，・・・を順次移動することができ、それによって人はスクリーン装置１００を紫外線プロジェクターの投射方向に沿って通り抜けることができる。
【００６１】
このように、実施形態３に係る画像表示システムは、人がスクリーン装置１００を紫外線プロジェクターの投射方向に沿って通り抜けることができるので、実施形態１に係る画像表示システムと同様の使い方に加えて、例えば、建物内の通路などに設けて、道案内の表示や様々な情報を表示させるという使い方も可能となる。
【００６２】
［実施形態４］
図６は実施形態４に係る画像表示システムを簡略化して示す図である。図６は実施形態１に係る画像表示システムの説明で用いた図２に対応する図であり、支持装置１１０などを含めた全体的な構成は図１と同様に考えることができる。
【００６３】
実施形態４に係る画像表示システムは、スクリーン装置１００の幕１０１，１０１，・・・が実施形態１及び実施形態２に係る画像表示システムにおける幕１０１，１０１，・・・に比べて横方向（水平方向）の幅が狭い形状となっており、このような形状の幕（短冊形状の幕１０１，１０１，・・・という）を紫外線プロジェクターＰＪ１の投射方向及び紫外線プロジェクターＰＪ２の投射方向を横切る方向にランダムに配置したものである。
【００６４】
具体的には、図６に示すように、紫外線プロジェクターＰＪ１，ＰＪ２の投射方向を横切る方向（図示ｙ軸方向）においては、短冊形状の幕１０１，１０１，・・・の枚数と間隔がランダムとなっており、また、紫外線プロジェクターＰＪ１，ＰＪ２の投射方向（図示ｘ軸方向）においても、短冊形状の幕１０１，１０１，・・・の枚数と間隔がランダムとなっている。
【００６５】
なお、短冊形状の幕１０１，１０１，・・・を図６に示すようにランダムに配置する場合、紫外線プロジェクターの投射画像の一部がどの幕にも表示されずにスクリーン装置１００を通り抜けてしまうといったことを防止するため、スクリーン装置１００の一方の側から紫外線プロジェクターの投射方向（図示ｘ軸方向）に沿ってスクリーン装置１００を見たときに、スクリーン装置１００の他方の側が見通せるような大きな隙間ができないように短冊形状の幕１０１，１０１，・・・を配置することが好ましい。
【００６６】
実施形態４に係る画像表示システムのスクリーン装置が図６に示すような構成を有することによって、実施形態３に係る画像表示システムと同様、人はスクリーン装置１００を紫外線プロジェクターＰＪ１，ＰＪ２の投射方向に沿って通り抜けることができ、さらに、実施形態４に係る画像表示システムでは、短冊形状の幕１０１，１０１，・・・がランダムに配置されているので、より自由度の高い多様な使い方が可能となる。
【００６７】
なお、図６においては、短冊形状の幕１０１，１０１，・・・は、紫外線プロジェクターＰＪ１，ＰＪ２の投射方向に存在する短冊形状の幕１０１，１０１，・・・の各幕面１０１ａが平行となるような配置の例が示されているが、これに限られることなく、例えば、並べてある幕面１０１ａ間は平行であったり、並べてある幕面１０１ａ間は多少の角度を有していたりというように、各幕面１０１ａの向きもランダムとなるような配置であってもよい。
【００６８】
［実施形態５］
図７は実施形態５に係る画像表示システムを簡略化して示す図である。図７は実施形態１に係る画像表示システムの説明で用いた図２に対応する図であり、支持装置１１０などを含めた全体的な構成は図１と同様に考えることができる。
【００６９】
実施形態５に係る画像表示システムは、実施形態３に係る画像表示システムにおけるスリットＳが設けられた幕１０１，１０１，・・・を用いてもよく、また、実施形態４に係る画像表示システムにおける短冊形状の幕１０１，１０１，・・・を用いてもよいが、ここでは、短冊形状の幕１０１，１０１，・・・を用いるものとする。
【００７０】
図７に示すように、実施形態５に係る画像表示システムでは、複数枚の短冊形状の幕１０１，１０１，・・・の各幕面１０１ａが所定の間隔を有して同心円状に配置されたものであり、スクリーン装置１００の外観は円筒形状となる。また、実施形態５に係る画像表示システムにおいては、３台の紫外線プロジェクターＰＪ１，ＰＪ２，ＰＪ３が円筒形状のスクリーン装置１００を取り囲むように設置されている。
【００７１】
なお、実施形態５に係る画像表示システムにおいても、実施形態４に係る画像表示システムと同様、紫外線プロジェクターの投射画像の一部がどの幕にも表示されずにスクリーン装置１００を通り抜けてしまうといったことを防止するため、スクリーン装置１００の一方の側からスクリーン装置１００を見たときに、スクリーン装置１００の他方の側が見通せるような大きな隙間ができないように短冊形状の幕１０１，１０１，・・・を配置することが好ましい。
【００７２】
実施形態５に係る画像表示システムのスクリーン装置が図７に示すような構成を有することによって、人は円筒形状のスクリーン装置１００を各紫外線プロジェクターＰＪ１，ＰＪ２，ＰＪ３の投射方向に沿って通り抜けることができる。また、実施形態５に係る画像表示システムにおいては、円筒形状のスクリーン装置１００に様々な角度から紫外線プロジェクターによって画像を投射するようにしているので、より立体感のある画像を表現することもできる。これにより、実施形態５に係る画像表示システムでは、実施形態１〜４に係る画像表示システムと同様の使い方に加えて、実施形態１〜４に係る画像表示システムとは異なった使い方もでき、これまでにはない演出効果を得ることができる可能性もある。
【００７３】
また、実施形態５に係る画像表示システムにおいては、スクリーン装置１００を取り囲むように３台のプロジェクターＰＪ１，ＰＪ２，ＰＪ３を配置した例について説明したが、より多くの紫外線プロジェクターを配置するような構成であってもよく、また、実施形態１〜４と同様、２台の紫外線プロジェクターＰＪ１，ＰＪ２をスクリーン装置１００を挟むように設置するような構成であってもよい。
【００７４】
なお、本発明は前述の各実施形態に限られるものではなく、本発明の要旨を逸脱しない範囲で種々の変形が実施可能となるものである。たとえば、実施形態１〜４に係る画像表示システムにおいては、スクリーン装置１００を挟むようにそれぞれ１台ずつの紫外線プロジェクターＰＪ１，ＰＪ２を設置する例で説明したが、これに限られるものではなく、スクリーン装置１００を挟むように一方の側及び他方の側それぞれに２台以上の紫外線プロジェクターを設置するようにして、スクリーン装置１００の幕１０１，１０１，・・・の各幕面１０１ａに２台以上の紫外線プロジェクターからの画像を並べて表示するタイリング投射を行ったり、２台以上の紫外線プロジェクターからの画像を重ね合わせて１つの画像を表示するスタッキング投射を行ったりすることもできる。
【００７５】
例えば、図２の例においては、紫外線プロジェクターＰＪ１側及びＰＪ２側それぞれに紫外線プロジェクターを２台ずつ設置して、それぞれの側において２台ずつの紫外線プロジェクターによりタイリング投射やスタッキング投射を行うことが考えられる。
【００７６】
また、前述の各実施形態では、幕１０１，１０１，・・・は、各幕面１０１ａが平行な状態で並んでいる例で説明したが、必ずしも平行である必要はなく、所定の角度を有した状態で対向するようにしてもよい。また、各幕面１０１ａの間隔も一定である必要はなく、任意に設定することができる。また、スクリーン装置１００を構成する幕の数は、画像表示システムの設置場所や用途によって適切な枚数の設定が可能である。
【符号の説明】
【００７７】
１００…スクリーン装置、１０１…幕、１０１ａ…幕面、１１０…支持装置、Ｓ…スリット、ＰＪ１，ＰＪ２，ＰＪ３…プロジェクター。
【図７】
2010181592.tif 000003
【図１】
2010181592.tif 000004
【図２】
2010181592.tif 000005
【図３】
2010181592.tif 000006
【図４】
2010181592.tif 000007
【図５】
2010181592.tif 000008
【図６】
2010181592.tif 000009